(57)【要約】【課題】遊技者が入賞口の開閉動作等を認識し易くするとともに、遊技者に対し遊技球が入賞口に入り易いような印象を与えることを目的とする。【解決手段】本発明に係る遊技機は、入賞口２１，２２の開閉動作あるいは入賞口の拡開動作を可動部材２５で行う構成の遊技機であって、可動部材２５には、装飾部材３０が連結されている。このため、装飾部材３０が可動部材２５より目立ち、入賞口２１，２２の開閉動作等が大きく見えるようになる。【選択図】      図１
2004194813.tif 000002
【特許請求の範囲】
【請求項１】
入賞口の開閉動作あるいは入賞口の拡開動作を可動部材で行う構成の遊技機であって、
前記可動部材には、装飾部材が連結されていることを特徴とする遊技機。
【発明の詳細な説明】
【０００１】
【発明の属する技術分野】
本発明は、入賞口の開閉動作あるいは入賞口の拡開動作を可動部材で行う構成の遊技機に関する。
【０００２】
【従来の技術】
遊技機の一つであるパチンコ機の中には、役物装置の大入賞口を可動部材によって開閉するものが知られている（特許文献１を参照）。前記可動部材は、支点を中心に回動することで役物装置の大入賞口を開閉する構成であり、必要最小限のサイズで製作されている。このため、一般的に、役物装置の中で前記可動部材は小さく見える。
【０００３】
【特許文献１】
特開２００２−１２６２２０号公報
【０００４】
【発明が解決しようとする課題】
しかし、可動部材が小さく見えると、可動部材が大入賞口を開く方向に動作しても、遊技者はその可動部材の動作を認識し難い。また、可動部材により大入賞口が開かれたとしても、遊技者は遊技球が大入賞口に入り難いような印象を持つ。
【０００５】
本発明は、上記した問題点に鑑みてなされたものであり、本発明が解決しようとする課題は、遊技者が入賞口の開閉動作等を認識し易くするとともに、遊技球が入賞口に入り易いような印象を遊技者に与えるようにすることである。
【０００６】
【課題を解決するための手段】
課題を解決するための手段１に係る発明は、「入賞口の開閉動作あるいは入賞口の拡開動作を可動部材で行う構成の遊技機であって、前記可動部材には、装飾部材が遊技者に目視可能な状態で前記可動部材と連動可能なように連結されていることを特徴とする遊技機。」を要旨とする。
【０００７】
本発明によると、可動部材が入賞口を開閉あるいは拡開するように動作すると、装飾部材も可動部材に連動して前記入賞口を開閉あるいは拡開するように動作する。また、装飾部材は遊技者に目視可能な状態で可動部材に連結されているため、装飾部材が目立ち、入賞口の開閉動作等が大きく見えるようになる。このため、遊技者が入賞口の開閉動作等を認識し易くなるとともに、遊技者に対し遊技球が入賞口に入り易いような印象を与える。
【０００８】
課題を解決するための手段２に係る発明は、「手段１に記載の遊技機あって、装飾部材は、可動部材よりも大きなサイズで形成されていることを特徴とする遊技機。」を要旨とする。
このため、入賞口の開閉動作等がさらに大きく見えるようになる。
課題を解決するための手段３に係る発明は、「手段１又は手段２のいずれかに記載の遊技機であって、装飾部材は、可動部材を駆動させる駆動系を模したリンク形状に形成されていることを特徴とする遊技機。」を要旨とする。
このため、装飾部材があたかも可動部材を駆動させているように見え、可動部材の動作認識性をより高めることができる。
【０００９】
課題を解決するための手段４に係る発明は、「手段１〜手段３のいずれかに記載の遊技機であって、可動部材は、支点を中心に回動することで入賞口の開閉あるいは入賞口の拡開を行う構成であり、装飾部材は前記可動部材の回動自由端側に連結されていることを特徴とする遊技機。」を要旨とする。
このため、装飾部材の動作が大きくなり、入賞口の開閉動作等がさらに大きく見えるようになる。
【００１０】
課題を解決するための手段５に係る発明は、「手段１〜手段４のいずれかに記載の遊技機であって、装飾部材は、遊技球の流下状態に影響を及ぼさない位置に配置されていることを特徴とする遊技機。」を要旨とする。
このため、遊技者に対して装飾部材が邪魔な印象を与えることがない。
【００１１】
課題を解決するための手段６発明は、「手段１〜手段５のいずれかに記載の遊技機であって、装飾部材は、可動部材と異なる色彩を有していることを特徴とする遊技機。」を要旨とする。
このため、装飾部材がさらに目立つようになる。
【００１２】
【発明の実施の形態】
（実施形態１）
以下、図１から図６に基づいて本発明の実施形態１に係る遊技機の説明を行う。本実施形態は、遊技機の一つであるパチンコ機に本発明を適用した例であり、図１は前記パチンコ機の遊技盤の正面図、図２、図３は役物装置の拡大正面図、図４は役物装置の大入賞口の拡大図である。また、図５は役物装置の左右の誘導路を表す正面図、図６は役物装置の回転体及び開閉部材を表す斜視図である。
【００１３】
先ず、パチンコ機の遊技盤の概要から述べる。図１に示すように、遊技盤１０はほぼ四角形板状に形成されている。遊技盤１０の前面、即ち、遊技面には、外側レール部１１ａと内側レール部１１ｂとを備える案内レール１１が設けられており、その案内レール１１によって球発射通路１３と遊技領域１４とが区画されっている。図示されていない球発射装置から発射された遊技球Ｂは、球発射通路１３によって遊技領域１４の上部に案内される。
【００１４】
遊技盤１０の遊技盤面には、遊技領域１４のほぼ中央部に役物装置２０が配置されており、その役物装置２０の下方に複数（図では３台）の始動口１７，１８，１９が配置されている。各々の始動口１７，１８，１９には、遊技球Ｂの入賞を検出するための始動口センサ１７ｓ，１８ｓ，１９ｓが装着されている。さらに、始動口１７，１８，１９の両側及び役物装置２０の向かって右側には一般入賞口１６が配置されている。また、役物装置２０の周囲には、複数の風車１５や障害釘等が適宜配置されており、遊技領域１４の下端部にアウト口１２が設けられている。なお、障害釘等の一部は図示省略されている。
【００１５】
次に、役物装置２０を説明する。
役物装置２０は、図２、図３に示すように、上部左右に大入賞口２１，２２を備えている。なお、図２は大入賞口２１，２２が開放された状態を表しており、図３は大入賞口２１，２２が閉じられた状態を表している。
大入賞口２１，２２は、遊技球Ｂが役物装置２０に入る際の入口部分であり、側面略「Ｌ」字形に成形された入賞口形成壁１２１，１２２を備えている。ここで、大入賞口２１，２２は左右対称に形成されているため、代表して左側の大入賞口２１について説明し、右側の大入賞口２２の説明は省略する。
【００１６】
大入賞口２１の入賞口形成壁１２１は、図４（Ａ）、（Ｂ）に示すように、厚肉の基礎部２１ｘと、ほぼ横向きに形成された横壁部２１ｙと、役物装置２０の外側方向に若干反った状態で縦に形成された縦壁部２１ｚとから構成されている。そして、その横壁部２１ｙと縦壁部２１ｚとの接続部分（曲がり部分）に一個の遊技球Ｂが通過可能な球入口２１ｅが形成されている。
【００１７】
入賞口形成壁１２１の基礎部２１ｘの上部には、側面略楔形をした可動翼片２５の基端部２５ｓが一定角度だけ左右回動可能な状態で取付けられている。可動翼片２５は、基端部２５ｓ（支点）を中心に左右回動することにより、大入賞口２１を開閉する部材であり、入賞口形成壁１２１の縦壁部２１ｚとほぼ等しい長さ寸法で製作されている。即ち、左側の大入賞口２１の場合、図４（Ａ）に示すように、可動翼片２５が右限位置まで回動すると、その可動翼片２５の先端部２５ｆが縦壁部２１ｚの先端に最も接近し、大入賞口２１が閉じられる。また、図４（Ｂ）に示すように、可動翼片２５が左限位置まで回動すると、その可動翼片２５の先端部２５ｆが縦壁部２１ｚの先端から離れ、大入賞口２１が開かれる。なお、右側の大入賞口２２の場合、左側の大入賞口２１とは動作が全く逆になる。
即ち、可動翼片２５が本発明の可動部材に相当する。
【００１８】
可動翼片２５の先端前面には装飾部材３０の一端が回動可能な状態で連結されており、その装飾部材３０の他端が入賞口形成壁１２１の基礎部２１ｘの前面に回動可能な状態で連結されている。装飾部材３０は、可動翼片２５の駆動系を模したリンク形状に成形されており、第一リンク３１と第二リンク３２とから構成されている。第一リンク３１及び第二リンク３２は目立つように、可動翼片２５や入賞口形成壁１２１とは異なる色彩が付加されている。また、第一リンク３１と第二リンク３２との個々の長さ寸法は、可動翼片２５の長さ寸法よりも若干小さく設定されている。しかし、第一リンク３１と第二リンク３２とは互いの端部が相互に回動可能な状態で連結される構成のため、装飾部材３０の全長は可動翼片２５の長さ寸法よりも十分大きくなる。
【００１９】
可動翼片２５の先端前面には第一リンク３１の端部（上端）が回動可能な状態で連結され、入賞口形成壁１２１の基礎部２１ｘには第二リンク３２の端部（下端）が回動可能な状態で連結される。ここで、第二リンク３２の端部（下端）には長孔３２ｈが形成されており、その長孔３２ｈに入賞口形成壁１２１の基礎部２１ｘの連結ピン２１ｐが通されることにより、第二リンク３２の下端は入賞口形成壁１２１の基礎部２１ｘに連結される。このため、第二リンク３２の下端は長孔３２ｈの長さ寸法分だけ入賞口形成壁１２１の基礎部２１ｘに対して変位可能となる。
【００２０】
上記構成により、図示されていない駆動系の働きで可動翼片２５が基端部２５ｓ（支点）を中心に左右回動すると、装飾部材３０の第一リンク３１と第二リンク３２とがその可動翼片２５と連動してリンク状の動きをする。これによって、遊技者には、装飾部材３０の第一リンク３１と第二リンク３２とがあたかも可動翼片２５を動かしているように見える。
【００２１】
左右の大入賞口２１，２２の間には、図２、図３に示すように、例えば、動物を模して形成した振分部材２３が配置されており、その振分部材２３の下側に左誘導路２４ａと右誘導路２４ｂとが役物装置２０の端縁にほぼ沿うように形成されている。また、左右の誘導路２４ａ，２４ｂの間には液晶表示器２６が縦に設置されており、その液晶表示器２６の下部前面側に通常入賞口２７ｃと特別入賞口２７ｓとを有する円盤状の回転体２７がほぼ水平に設置されている。回転体２７の外側には、その回転体２７の外周に沿って外周通路２４ｘが設けられており、その外周通路２４ｘの端部に通常入賞口２７ｃが形成されている。さらに、外周通路２４ｘの通常入賞口２７ｃの右横には、その通常入賞口２７ｃを開閉する人形を模した開閉部材２８が取付けられている。
【００２２】
振分部材２３は、図２、図３の実線あるいは二点鎖線で示すように、ほぼ周期的に姿勢変更可能に構成されている。そして、振分部材２３が姿勢変更することで、大入賞口２１，２２の球入口２１ｅ（図４（Ｂ）参照）を通過した遊技球Ｂが左誘導路２４ａあるいは右誘導路２４ｂに振り分けられる。
左誘導路２４ａは、図５に示すように、振分部材２３によって振り分けられた遊技球Ｂを回転体２７の外側に形成された外周通路２４ｘまで導く働きをする。また、右誘導路２４ｂは、振分部材２３によって振り分けられた遊技球Ｂを回転体２７の中央まで導く働きをする。
【００２３】
外周通路２４ｘは、通常入賞口２７ｃ側が最も低くなるように若干傾斜を有している。さらに、外周通路２４ｘの内周端縁には、図６（Ａ）、（Ｂ）に示すように、回転体２７を囲む外周壁２４ｗが形成されている。外周壁２４ｗには、遊技球Ｂが通過可能な開口２４ｅが形成されており、その開口２４ｅが外周通路２４ｘの通常入賞口２７ｃの若干上流側に配置されている。このため、開閉部材２８によって外周通路２４ｘの通常入賞口２７ｃが閉じられると、外周通路２４ｘを移動する遊技球Ｂは開口２４ｅから回転体２７の周縁上に導かれる。
回転体２７はほぼ一定速度で回転可能に構成されており、円周方向にほぼ等間隔で、例えば、一個の特別入賞口２７ｓと五個の通常入賞口２７ｃとが形成されている。そして、隣り合わない三個の通常入賞口２７ｃが平面「コ」字形の隔壁２７ｗによって、回転体２７の外周側を除く三方が囲まれている。
【００２４】
このため、右誘導路２４ｂによって回転体２７の中央に導かれた遊技球Ｂは、隔壁２７ｗに囲まれた通常入賞口２７ｃ以外の通常入賞口２７ｃ及び特別入賞口２７ｓに入賞が可能になる。一方、左誘導路２４ａ、外周通路２４ｘを通って開口２４ｅから回転体２７まで導かれた遊技球Ｂは、隔壁２７ｗに係わりなく全ての通常入賞口２７ｃ及び特別入賞口２７ｓに入賞が可能になる。したがって、右誘導路２４ｂによって回転体２７の中央に導かれた遊技球Ｂが特別入賞口２７ｓに入賞する確率は１／３となり、左誘導路２４ａ、外周通路２４ｘ及び開口２４ｅによって回転体２７まで導かれた遊技球Ｂが特別入賞口２７ｓに入賞する確率は１／６となる。
【００２５】
次に、本実施形態に係るパチンコ機の動作を説明する。
球発射装置から発射された遊技球Ｂが球発射通路１３によって遊技領域１４の上部に案内され、流下してきた遊技球Ｂが始動口１７，１８，１９のいずれかに入賞すると、賞球が払い出されるとともに、その入賞が始動口センサ１７ｓ，１８ｓ，１９ｓによって検出される。これによって、役物装置２０の左右の可動翼片２５が大入賞口２１，２２を開く方向に回動する。可動翼片２５が支点を中心に回動すると、その可動翼片２５の前面先端に連結されている装飾部材３０の第一リンク３１と第二リンク３２とが可動翼片２５と連動してリンク状に動くようになる。これによって、遊技者には、装飾部材３０の第一リンク３１と第二リンク３２とがあたかも可動翼片２５を動かしているように見える。
【００２６】
また、装飾部材３０は可動翼片２５よりも大きなサイズで、かつ可動翼片２５の前面に連結されているため、装飾部材３０が可動翼片２５より目立ち、大入賞口２１，２２の開閉動作が大きく見えるようになる。このため、遊技者が大入賞口２１，２２の開閉動作を認識し易くなるとともに、遊技者に対し遊技球Ｂが大入賞口２１，２２に入り易いような印象を与える。
【００２７】
可動翼片２５が大入賞口２１，２２を開いている状態で、流下してきた遊技球Ｂが大入賞口２１，２２の球入口２１ｅを通過すると、その遊技球Ｂは振分部材２３によって左誘導路２４ａあるいは右誘導路２４ｂに振り分けられる。左誘導路２４ａに振り分けられた遊技球Ｂはその左誘導路２４ａによって外周通路２４ｘに導かれ、その外周通路２４ｘを慣性力で端部の通常入賞口２７ｃの方向に移動する。このとき、人形を模した開閉部材２８は図２、図３の実線あるいは二点鎖線で示すように、周期的に姿勢変更しながら外周通路２４ｘの通常入賞口２７ｃを開閉している。そして、開閉部材２８によりその通常入賞口２７ｃが開かれていれば、外周通路２４ｘに導かれた遊技球Ｂはその通常入賞口２７ｃに入賞する。
【００２８】
また、開閉部材２８により通常入賞口２７ｃが閉じられていれば、外周通路２４ｘに導かれた遊技球Ｂは外周壁２４ｗの開口２４ｅから回転体２７の周縁に導かれる。このとき、回転体２７は回転しているため、開口２４ｅからその回転体２７の周縁上に移動しようとする遊技球Ｂは五個の通常入賞口２７ｃ及び一個の特別入賞口２７ｓのいずれか一つに入賞する。
大入賞口２１，２２の球入口２１ｅを通過して右誘導路２４ｂに振り分けられた遊技球Ｂは、その右誘導路２４ｂによって回転体２７の中央に導かれる。そして、隔壁２７ｗに囲われていない二個の通常入賞口２７ｃ及び一個の特別入賞口２７ｓのいずれか一つに入賞する。
【００２９】
遊技球Ｂが特別入賞口２７ｓに入賞すると、例えば、大当たりラウンドを継続したり、大入賞口２１，２２の開放時間を長くしたり、賞球として払い出す遊技球Ｂの数を多くする等、遊技者に対し、通常入賞口２７ｃに入賞する以上の特典が与えられる。
【００３０】
このように、本実施形態に係るパチンコ機によると、可動翼片２５が大入賞口２１，２２を開閉するように動作すると、装飾部材３０も可動翼片２５に連動して大入賞口２１，２２を開閉するように動作する。また、装飾部材３０は可動翼片２５よりも大きなサイズで、かつ装飾部材３０の前面に連結されているため、装飾部材３０が可動翼片２５より目立ち、大入賞口２１，２２の開閉動作が大きく見えるようになる。このため、遊技者が大入賞口２１，２２の開閉動作を認識し易くなるとともに、遊技球Ｂが大入賞口２１，２２に入り易いような印象を遊技者に与えるようになる。
【００３１】
また、装飾部材３０は、可動翼片２５を駆動させる駆動系を模したリンク形状に形成されているため、その装飾部材３０があたかも可動翼片２５を駆動させているように見え、可動翼片２５の動作認識性をより高めることができる。
また、可動翼片２５は、支点を中心に回動することで大入賞口２１，２２の開閉を行う構成であり、装飾部材３０は可動翼片２５の先端部（回動自由端側）に連結されている。このため、装飾部材３０の動作が大きくなり、大入賞口２１，２２の開閉動作等がさらに大きく見えるようになる。
【００３２】
また、装飾部材３０は、可動翼片２５の前面に連結されているため、遊技球Ｂの流下状態に影響を及ぼすことがない。このため、遊技者が装飾部材３０を邪魔に感じることもない。
また、装飾部材３０は、可動翼片２５と異なる色彩を有しているため、装飾部材３０がさらに目立つようになる。
【００３３】
なお、本実施形態では、大入賞口２１，２２を開閉する可動翼片２５に装飾部材３０を連結する例を示したが、例えば、羽根が閉まっていても遊技球の入賞が可能で、羽根が拡開すると入賞可能性が高まるチューリップ状の役物に本発明に係る装飾部材を連結することも可能である。
また、装飾部材３０を第一リンク３１、第二リンク３２から構成する例を示したが、リンクの数は一本でも可能であるし、三本以上でも可能である。さらに、リンクの形状を適宜変更したり、装飾部材３０をリンク以外の形状、例えば、鎖状に形成することも可能である。
【００３４】
また、本実施形態では、パチンコ機に本発明を適用する例を示したが、パチンコ機以外の遊技機、例えば、アレンジボール機、麻雀遊技機、テレビゲーム機等であって可動部材を備えるものに本発明を適用することも可能である。
また、本実施形態では、装飾部材３０は単なる装飾としてのみ機能していたが、装飾部材で可動部材（可動翼片２５）を実際に駆動させる構成であっても良い。
【００３５】
【発明の効果】
本発明によると、装飾部材が可動部材より目立ち、入賞口の開閉動作等が大きく見えるようになるため、遊技者が入賞口の開閉動作等を認識し易くなるとともに、遊技者に対し遊技球が入賞口に入り易いような印象を与える。
【図面の簡単な説明】
【図１】本発明の実施形態１に係るパチンコ機の遊技盤の正面図である。
【図２】役物装置の拡大正面図である。
【図３】役物装置の拡大正面図である。
【図４】役物装置の大入賞口の閉状態を表す拡大図（Ａ図）、開状態を表す拡大図（Ｂ図）である。
【図５】役物装置の左誘導路及び右誘導路を表す正面図である。
【図６】役物装置の回転体と開閉部材との関係を表す斜視図（Ａ図、Ｂ図）である。
【符号の説明】
２０    役物装置
２１    大入賞口（左側）
２２    大入賞口（右側）
２５    可動翼片（可動部材）
３０    装飾部材
３１    第一リンク
３２    第二リンク
１２１  入賞口形成壁
１２２  入賞口形成壁
【図１】
2004194813.tif 000003
【図２】
2004194813.tif 000004
【図３】
2004194813.tif 000005
【図４】
2004194813.tif 000006
【図５】
2004194813.tif 000007
【図６】
2004194813.tif 000008